(57)【要約】【課題】  セレクタレイジングカムの出没パターンが固定されずに、多様化や自由度を高めることが可能な、横編機の選針装置を提供する。【解決手段】  カムシステム１１Ｂに設ける選針装置１Ｂは、制御バー５Ｂのカム板１０に対する移動で、両側のセレクタレイジングカム２Ａ，２Ｂを、キャリッジの走行方向の先行側で針床側に突出し、後行側で没入する方向に切換える。ロック機構６で、両側のセレクタレイジングカム２Ａ，２Ｂが没の状態を継続するように制御バー５Ｂのカム板１０に対する移動をロックすることができる。セレクタレイジングカム２Ａ，２Ｂを固定される出没パターンに従って出没させないので、使用するカムシステムの組合せを変えることなどで、多様な編成の要求に対応させることができる。【選択図】図１
2012132114.tif 000002
【特許請求の範囲】
【請求項１】
針床に並設される針溝に、先端側にフックを有し、基端側にセレクタを有する編針がそれぞれ収容され、編針を駆動して編成動作を行わせるカムシステムが針床に臨むカム板に複数搭載されるキャリッジを、針溝の並設方向に往復走行させる横編機で、
各カムシステムによる駆動の対象とすべき編針のセレクタを選択する選針アクチュエータと、
針床側に対して出没可能であり、針床側に突出する出の状態で、セレクタに作用し、セレクタの選択状態に応じて編針を異なる選針位置に案内するセレクタレイジングカムとを、
走行方向に関して各カムシステムの両側に、それぞれ配置し、
通過する編針のセレクタを選択可能な状態にするセレクタ浮上カムを、セレクタレイジングカム間に配置して、
キャリッジのカム板に搭載する横編機の選針装置において、
少なくとも一つのカムシステムに対して移動可能に設けられ、当該カムシステムの両側のセレクタレイジングカムの出没をそれぞれ案内する溝カムを有し、当該溝カムには、キャリッジの走行方向に関して先行側のセレクタレイジングカムが針床側に突出して、後行側のセレクタレイジングカムが針床側から没入するように案内する出没部分とともに、両側のセレクタレイジングカムが針床側から没入するように案内する両没部分とを備える制御バーと、
制御バーに対して設けられ、当該制御バーをカムシステムに対して移動させ、溝カムがセレクタレイジングカムを案内する部分を切換える切換機構とを、
含むことを特徴とする横編機の選針装置。
【請求項２】
前記切換機構は、前記制御バーに取付けられて、針床側に磁力で吸引されるマグネットを含み、該マグネットの針床側への吸引で当該制御バーを前記キャリッジの走行時に前記カムシステムの後行側に移動させ、
移動させる制御バーを、前記溝カムの前記両没部分が前記両側のセレクタレイジングカムを案内する位置でロックさせることが可能なロック機構をさらに含む、
ことを特徴とする請求項１記載の横編機の選針装置。
【請求項３】
前記ロック機構は、
駆動源を備えて、前記制御バーに対する前記カム板側からの出没状態を切換え可能な出没ピンと、
制御バーに設けられ、制御バーに対して出状態の出没ピンを挟む間隔をあけて遊端側が対向するように配置され、基端側を支点として遊端側が出没ピン側に出没するように揺動変位する一対の係合爪と、
各係合爪を、遊端側が出没ピン側への出状態となるように付勢するばねと、
を含み、
係合爪は、出状態の出没ピンとは遊端部間で係合して前記ロックを行い、没状態の出没ピンとは遊端部間で係合せずにロックを行わない、
ことを特徴とする請求項２記載の横編機の選針装置。
【発明の詳細な説明】
【技術分野】
【０００１】
本発明は、横編機の針床に沿って往復走行するキャリッジに、編針を駆動して編成動作を行わせるカムシステムとともに搭載され、駆動する編針を選択する横編機の選針装置に関する。
【背景技術】
【０００２】
従来から、横編機では、針床に多数の針溝を並設し、各針溝に収容される編針を選択的に駆動して編地を編成している。各編針は、先端側にフックを有し、基端側にセレクタを有する。編針の駆動は、キャリッジを、針溝の並設方向に往復走行させて行う。キャリッジには、編成動作させる編針を選択する選針装置と、選針装置で選択された編針を駆動して編成動作させるカムシステムとが搭載される。選針装置は、駆動する編針のセレクタを選択する選針アクチュエータと、選択されたセレクタを駆動するセレクタレイジングカムとが設けられる。セレクタは、選針アクチュエータによる選択結果に応じて異なる状態で、セレクタレイジングカムの案内を受けるように駆動される。
【０００３】
複数のカムシステムを搭載するキャリッジには、走行方向に関し、各カムシステムの両側に、選針アクチュエータおよびセレクタレイジングカムがそれぞれ設けられる。各カムシステムの両側に設けられるセレクタレイジングカムは、キャリッジの走行方向に応じて、針床側への出没が連動して切換えられる。セレクタレイジングカムの出没パターンは、先行側が出て選択状態となっているセレクタを案内するように駆動し、後行側が没でセレクタを案内しない（たとえば、特許文献１参照）。
【先行技術文献】
【特許文献】
【０００４】
【特許文献１】特開平５−１５６５５３号公報
【発明の概要】
【発明が解決しようとする課題】
【０００５】
特許文献１のように走行方向に応じて行うセレクタレイジングカムの切換えは、出没の組合せが固定されてしまう。たとえば、二つのカムシステムを搭載する場合、各カムシステムの先後に設けられる合計四のセレクタレイジングカムは、先行側から交互に、出、没、出、没の順で、出没パターンが固定されてしまう。キャリッジに複数のカムシステムを搭載する横編機では、キャリッジの走行ストローク毎に必ずしも全部のカムシステムを使用するとは限らず、使用するカムシステムの組合せを変えることで、多様な編成の要求に対応させることができる。しかしながら、セレクタレイジングカムの出没パターンが固定されていると、編成の多様化や自由度に制限を受ける。
【０００６】
本発明の目的は、セレクタレイジングカムの出没パターンが固定されずに、多様化や自由度を高めることが可能な、横編機の選針装置を提供することである。
【課題を解決するための手段】
【０００７】
本発明は、針床に並設される針溝に、先端側にフックを有し、基端側にセレクタを有する編針がそれぞれ収容され、編針を駆動して編成動作を行わせるカムシステムが針床に臨むカム板に複数搭載されるキャリッジを、針溝の並設方向に往復走行させる横編機で、
各カムシステムによる駆動の対象とすべき編針のセレクタを選択する選針アクチュエータと、
針床側に対して出没可能であり、針床側に突出する出の状態で、セレクタに作用し、セレクタの選択状態に応じて編針を異なる選針位置に案内するセレクタレイジングカムとを、
走行方向に関して各カムシステムの両側に、それぞれ配置し、
通過する編針のセレクタを選択可能な状態にするセレクタ浮上カムを、セレクタレイジングカム間に配置して、
キャリッジのカム板に搭載する横編機の選針装置において、
少なくとも一つのカムシステムに対して移動可能に設けられ、当該カムシステムの両側のセレクタレイジングカムの出没をそれぞれ案内する溝カムを有し、当該溝カムには、キャリッジの走行方向に関して先行側のセレクタレイジングカムが針床側に突出して、後行側のセレクタレイジングカムが針床側から没入するように案内する出没部分とともに、両側のセレクタレイジングカムが針床側から没入するように案内する両没部分とを備える制御バーと、
制御バーに対して設けられ、当該制御バーをカムシステムに対して移動させ、溝カムがセレクタレイジングカムを案内する部分を切換える切換機構とを、
含むことを特徴とする横編機の選針装置である。
【０００８】
また本発明で、前記切換機構は、前記制御バーに取付けられて、針床側に磁力で吸引されるマグネットを含み、該マグネットの針床側への吸引で当該制御バーを前記キャリッジの走行時に前記カムシステムの後行側に移動させ、
移動させる制御バーを、前記溝カムの前記両没部分が前記両側のセレクタレイジングカムを案内する位置でロックさせることが可能なロック機構をさらに含む、
ことを特徴とする。
【０００９】
また本発明で、前記ロック機構は、
駆動源を備えて、前記制御バーに対する前記カム板側からの出没状態を切換え可能な出没ピンと、
制御バーに設けられ、制御バーに対して出状態の出没ピンを挟む間隔をあけて遊端側が対向するように配置され、基端側を支点として遊端側が出没ピン側に出没するように揺動変位する一対の係合爪と、
各係合爪を、遊端側が出没ピン側への出状態となるように付勢するばねと、
を含み、
係合爪は、出状態の出没ピンとは遊端部間で係合して前記ロックを行い、没状態の出没ピンとは遊端部間で係合せずにロックを行わない、
ことを特徴とする。
【発明の効果】
【００１０】
本発明によれば、少なくとも一つのカムシステムに対し、両側のセレクタレイジングカムを、制御バーで、キャリッジの走行方向に応じて、先行側で出、後行側で没となるように出没させるとともに、両側とも没に切換えることもできる。キャリッジに複数のカムシステムが並設される場合、位置がカムシステム間となるセレクタレイジングカムを、カムシステムの不使用時などに、キャリッジの走行方向の先行側でも没に切換えることができるので、編成の多様化や自由度を高めることが可能となる。
【００１１】
また本発明によれば、マグネットの針床側への磁気による吸引で、キャリッジの走行時に、制御バーをカムシステムの後行側に移動させ、セレクタレイジングカムの出没切換えを行わせることができる。移動させる制御バーをロック機構でロックさせることによって、制御バーの両没部分で両側のセレクタレイジングカムを没入させるように案内することができる。
【００１２】
また本発明によれば、ロック機構は、駆動源で出没ピンを駆動して、出状態の出没ピンを、制御バーに設ける一対の係合爪間に挟むように係合させて制御バーのロックを行うので、両没部分の位置で確実にロックさせることができる。
【図面の簡単な説明】
【００１３】
【図１】図１は、本発明の一実施例としての選針装置１Ａ，１Ｂを含むキャリッジのカム配置図および制御バー５Ａ，５Ｂの正面図である。
【図２】図２は、図１の選針装置１Ａに含まれる切換機構３Ａ，３Ｂおよび制御バー５Ａの構成を示す平面図および正面図である。
【図３】図３は、図１の選針装置１Ａ，１Ｂに含まれるロック機構６の構成を示す平面図、正面図および右側面図である。
【図４】図４は、図２に示す切換機構３Ａの構成を示す右側面断面図である。
【図５】図５は、図１に示す制御バー５Ａ，５Ｂの動作状態を簡略化して示す正面図である。
【発明を実施するための形態】
【００１４】
図１（ａ）では、本発明の一実施例としての横編機の選針装置１Ａ，１Ｂを、キャリッジに搭載している状態で示す。図２では、図１の選針装置１Ａに含まれる切換機構３Ａ，３Ｂおよび制御バー５Ａの構成を示す。図３は、図１の選針装置１Ａ，１Ｂに含まれるロック機構６に関連する構成を示す。図４は、切換機構３Ａの構成を示す。図５は、制御バー５Ａ，５Ｂの動作状態を示す。各選針装置１Ａ，１Ｂに含まれるセレクタレイジングカム２Ａ，２Ｂ、切換機構３Ａ，３Ｂ、ホルダ４Ａ，４Ｂは、それぞれ左右対称となる構成を有する。各制御バー５Ａ，５Ｂに設ける溝カム１５Ａ，１５Ｂも、それぞれ左右対称となる形状を有する。これらについて、基本的に同一の部分については、左右の一方のみを説明し、他方の説明を省略する場合がある。また、Ａ，Ｂを付さない参照番号のみで総称し、共通部分を説明する場合がある。
【００１５】
各図で、対応する部分には同一の参照符を付し、重複する説明を省略する場合がある。また、説明の対象となる図には付していない参照符で、先に説明した図には付してあるものに言及する場合もある。
【実施例】
【００１６】
図１（ａ）では、二つの選針装置１Ａ，１Ｂが配置されている状態で示す。選針装置１Ａ，１Ｂは、それぞれ基本的には同等の構成を有するので、同等の構成部分に言及する場合は、総称して、選針装置１としてそれぞれ示す。選針装置１は、セレクタレイジングカム２、切換機構３、およびホルダ４によって移動可能に支持される制御バー５を含む。二つの選針装置１Ａ，１Ｂは、制御バー５Ａ，５Ｂを介してそれぞれ駆動され、セレクタレイジングカム２の出没が切換えられる。切換機構３は、ロック機構６を含む。
【００１７】
選針装置１には、選針アクチュエータ７も含まれる。選針アクチュエータ７は選針爪８を有し、セレクタの選針用バットを押圧してセレクタを針溝内で沈めると非選針状態、沈めないと選針状態とする選択を行う。セレクタレイジングカム２は、針床側に突出する状態で、針溝内で浮上しているセレクタの前進用バットに作用し、沈んでいるセレクタとは異なる選針位置に移動するように案内させる作用斜面２ａを有する。各選針装置１Ａ，１Ｂのセレクタレイジングカム２Ａ，２Ｂ間には、すべてのセレクタを針溝内で浮上させて選針可能な状態にするセレクタ浮上カム９がそれぞれ設けられる。
【００１８】
二つの選針装置１Ａ，１Ｂは、キャリッジが針床に臨む表面に設けられるカム板１０上に配置される。カム板１０には、選針装置１Ａ，１Ｂによる選針状態に応じて編針を駆動する二つのカムシステム１１Ａ，１１Ｂも配置される。カムシステム１１Ａ，１１Ｂの配置は、キャリッジの走行方向に沿うようになされる。三以上のカムシステムをキャリッジに搭載する場合もある。複数のカムシステムは、必ずしも同等の構成を有するとは限らず、編目形成と目移しとを分けて、それぞれ専用にカムシステムを設けるような場合もある。
【００１９】
各選針装置１Ａ，１Ｂでは、キャリッジの走行方向に沿って、セレクタレイジングカム２Ａ，２Ｂ、切換機構３Ａ，３Ｂ、選針アクチュエータ７，７、およびセレクタガイドカム１２のガイド部１２ａ，１２ａが各カムシステム１１Ａ，１１Ｂの両側にそれぞれ配置される。カムシステム１１Ａ，１１Ｂ間では、二組のセレクタレイジングカム２Ｂ，２Ａ、切換機構３Ｂ，３Ａ、選針アクチュエータ７，７、およびセレクタガイドカム１２のガイド部１２ａを使用して、二段階の選針が行われる。
【００２０】
セレクタレイジングカム２の作用斜面２ａでは、一段階目と二段階目の両段階の選針後に針溝内で浮上しているセレクタのみの前進用バットが作用を受ける。一段階目では選針され、二段階目では選針されなかったセレクタは、一段階目の選針後にセレクタガイドカム１２のガイド部１２ａの作用を受けるけれども、作用斜面２ａの作用は受けない。一段階目で選針されずに針溝に沈むセレクタは、ガイド部１２ａの作用も受けない。セレクタに対する作用の結果は、編針として、セレクタの前方に配置されるセレクトジャックの前進位置に反映される。両段階で選針される場合、一段階目の選針後にセレクタはガイド部１２ａの作用を受けるけれども、セレクトジャックの前進位置としては、作用斜面２ａの作用が反映される。したがって、二段階の選針では、セレクタを、作用斜面２ａの作用を受ける状態、ガイド部１２ａの作用のみを受ける状態、およびガイド部１２ａの作用も受けない状態の三つに分けることができる。三つの状態は、セレクトジャックの前進位置として三つのポジションに反映させ、たとえば、編針としての編目形成動作に関して、ニット、タック、およびミスにそれぞれ対応させることができる。
【００２１】
図１（ａ）の一方側、たとえば左側のカムシステム１１Ａを編成に使用し、他方側となる右側のカムシステム１１Ｂを使用しない場合を想定する。従来のようにセレクタレイジングカム２Ａ，２Ｂの出没パターンが固定の場合、左行時の編幅外部へのキャリッジの抜けは、選針装置１Ｂのセレクタ浮上カム９の位置１３ａが編幅の端部に到達するまで必要となる。このようにすれば、次の右行時に、選針装置１Ｂの左側の選針アクチュエータ７およびガイド部１２ａと、選針装置１Ａの右側の選針アクチュエータ７およびセレクタレイジングカム２Ｂとを使用して二段階の選針を行い、編針のセレクトジャックを三つの前進位置に分けて、カムシステム１１Ａで選択的に駆動することができる。
【００２２】
図１（ｂ）は、制御バー５Ａ，５Ｂによって、セレクタレイジングカム２Ａ，２Ｂを、編成に使用するカムシステム１１Ａでは先行側が出状態、後行側が没状態となり、不使用のカムシステム１１Ｂでは両側とも没状態となるように切換える構成を示す。各制御バー５Ａ，５Ｂには溝カム１５Ａ，１５Ｂがそれぞれ形成される。溝カム１５Ａ，１５Ｂには、選針装置１Ａ，１Ｂの切換機構３Ａ，３Ｂに設けるホロワ１６がそれぞれ嵌合し、両側のセレクタレイジングカム２Ａ，２Ｂが交互に出没するように案内する。後述するように、制御バー５Ａ，５Ｂは、キャリッジの走行方向の後行側に移動するように、針床側に磁力で吸引される。図のようにキャリッジが右行する場合、カムシステム１１Ａに設ける選針装置１Ａでは、制御バー５Ａの溝カム１５Ａ，１５Ｂによって、先行側のセレクタレイジングカム２Ｂがカム板１０から突出し、後行側のセレクタレイジングカム２Ａがカム板１０に没入するように切換える。カムシステム１１Ｂに設ける選針装置１Ｂでは、ロック機構６で制御バー５Ｂをロックし、溝カム１５Ａ，１５Ｂによって、両側のセレクタレイジングカム２Ａ，２Ｂがカム板１０に没入するように切換える。
【００２３】
カムシステム１１Ｂを編成に使用しない場合には、左行時の先行側となる選針装置１Ｂの左側のセレクタレイジングカム２Ａを、没状態を続けるようにロックしておくことができる。左行時の編幅外部へのキャリッジの抜けは、選針装置１Ａの右側の選針アクチュエータ７およびガイド部１２ａでの一段階目の選針が終了する位置１３ｂが編幅の端部まで到達すればよくなる。この結果、位置１３ａから位置１３ｂまでの差１４だけ抜け代を小さくして、キャリッジの走行ストロークを短縮することができる。セレクタレイジングカム２Ａ，２Ｂをキャリッジの走行方向に応じて固定される出没パターンに従って出没させるのではなく、両没にも切換えることができるので、使用するカムシステムの組合せを変えることなどで、多様な編成の要求に対応させることができる。
【００２４】
図２に示すように、図１の選針装置１Ａでは、セレクタレイジングカム２に対して、切換機構３を、カム板１０の裏面側に設けている。図２（ａ）は、カム板１０で針床に臨む表面に対する裏面側を平面視する構成を示す。図２（ｂ）は、カム板１０の裏面側を正面視する構成を示す。切換機構３は、制御バー５の溝カム１５に嵌合するホロワ１６を介する案内で、セレクタレイジングカム２の上部を図２（ｂ）の上下方向に駆動する。図２（ｂ）では、ホロワ１６が溝カム１５の端部に設ける出没部分に案内されているので、一方のセレクタレイジングカム２Ｂが出状態、他方のセレクタレイジングカム２Ａが没状態となるように駆動される。
【００２５】
制御バー５の上部には、間隔をあけて、一対の係合爪１７Ａ，１７Ｂの遊端部が対向するように取付けられている。係合爪１７Ａ，１７Ｂは、基端部が引張りばね１８によってそれぞれ左右に引張られ、対向する遊端部が高くなるように傾斜している。係合爪１７Ａ，１７Ｂの間には、出状態の出没ピン１９が挿入可能で、出没ピン１９が挿入されると、図１（ｂ）に示す制御バー５Ｂのようにロックされる。ロック状態で、ホロワ１６は溝カム１５の中間部に設ける両没部分に案内される。制御バー５の左右の移動を案内するために、溝カム１５と並行して、直線状のガイド溝２０が設けられている。ホルダ４には、カバー２１が設けられ、制御バー５の抜け止めを行っている。
【００２６】
図３は、ロック機構６の構成について示す。出没ピン１９は、ピンホルダ２２で、カム板１０に対して出没する方向への移動が可能な状態で支持される。この移動で、出没ピン１９の出没部１９ａは、出状態で、図２（ｂ）に示す係合爪１７Ａ，１７Ｂの遊端部間に挿入される。ピンホルダ２２には、ソレノイド２３がソレノイドホルダ２４によって取付けられる。出没ピン１９の上部は、圧縮ばね２５で下方に付勢される。圧縮ばね２５の上部は、ピンホルダ２２に取付けられるカバー２６で押えられる。出没ピン１９の下部には、駆動部１９ｂが設けられる。駆動部１９ｂは、レバー２７の従動腕に当接する。レバー２７は、中間に揺動支点を有し、揺動支点に関して従動腕の反対側の駆動腕は、ソレノイド２３の可動鉄心２３ａによる駆動を受ける。ソレノイド２３に通電して、可動鉄心２３ａを突出させると、レバー２７を介して、出没ピン１９は、出没部１９ａが没入するように駆動される。ソレノイド２３への通電を停止すると、出没ピン１９は圧縮ばね２５による付勢で、出没部１９ａが突出する。出没ピン１９は、ソレノイド２３などの駆動源で直接駆動することもできるけれども、レバー２７を介して駆動するので、制御バー５をロックする状態で、制御バーに掛かる負荷が直接駆動源に掛からないようにすることができる。
【００２７】
図４は、切換機構３Ａの駆動のための構成を示す。セレクタレイジングカム２の上部は円筒状の駆動部２ｂであり、ホルダ４に設けるシリンダ４ａ内に、上下方向に移動可能な状態で収容される。駆動部２ｂには、制御バー５Ａの溝カム１５に嵌合するホロワ１６が取付けられる。ホルダ４には、制御バー５のガイド溝２０に挿入される案内部４ｂも設けられる。
【００２８】
なお、制御バー５には、マグネット２８がマグネットホルダ２９に収容される状態で、キャリッジの外方に露出するように取付けられる。マグネット２８は、キャリッジの走行を案内するキャリッジレール３０に取付けられる鋼帯３１に、非接触状態で、磁力で吸引される。キャリッジレール３０は、針床側で支持される。キャリッジの走行は、マグネット２８が取付けられている制御バー５を、鋼帯３１が設けられている針床側への磁力による吸引で、カム板１０に対して走行方向の後行側に移動させる。切換機構３では、制御バー５のカム板１０に対する移動で、ホロワ１６が溝カム１５に沿って上下に案内され、ホロワ１６を介してセレクタレイジングカム２の駆動部２ｂをシリンダ４ａ内で上下動させる。
【００２９】
制御バー５の駆動は、特許文献１のように、キャリッジにモータなどの駆動源を搭載し、キャリッジ内で、走行方向とは独立して行うようにすることもできる。制御バー５の移動位置を三以上に切換えることが可能な駆動源を搭載すれば、ロック機構６を省くことができる。
【００３０】
図５は、制御バー５Ａ，５Ｂの動作状態を示す。図５（ａ）および図５（ｂ）は、出没ピン１９が没で、キャリッジが左行する場合と、右行する場合とを、それぞれ示す。制御バー５は、先行側の後端が後退位置３２まで後退する。ホロワ１６は溝カム１５の端部に設ける出没部分に案内され、セレクタレイジングカム２は、各カムシステム１１に対し、先行側が出状態、後行側が没状態となるように、キャリッジの走行方向に応じて切換えられる。
【００３１】
図５（ｃ）は、キャリッジの右行の途中、または右行から左行に反転する際に、制御バー５Ｂに対して出没ピン１９を突出させる状態を示す。出没ピン１９は、係合爪１７Ｂを押下げる。
【００３２】
図５（ｄ）に示すように、キャリッジの走行方向を反転させて、左行を開始させると、制御バー５Ａ，５Ｂはキャリッジに対して右方に移動する。突出する出没ピン１９は、制御バー５Ｂが移動する途中で、係合爪１７Ａ，１７Ｂの遊端部間に嵌合して挟まれ、制御バー５Ｂをロックして、ホロワ１６を溝カム１５の中間の両没部分に案内する位置に留めることができる。
【００３３】
図５（ｅ）に示すように、右行時に制御バー５Ｂが先行側となっても、後端は後退位置３２まで後退しない状態にロックされている。出没ピン１９を没状態に切換えれば、出没ピン１９は係合爪１７Ａ，１７Ｂの遊端部間で挟まれる状態から離脱し、ロックは解除される。
【００３４】
なお、出没ピン１９を制御バー５に設ける一対の係合爪１７Ａ，１７Ｂの遊端部で挟む係合でロックさせているけれども、制御バー５に凹所を設け、出状態の出没ピン１９の嵌合でロックさせるようにしてもよい。ただし、ロックの解除を可能にするために凹所の幅は出没ピン１９の外形よりも大きくしておく必要があり、溝カム１５に設ける両没部分も長くする必要がある。出没ピン１９を係合爪１７Ａ，１７Ｂの遊端部間で挟んでロックするようにすれば、溝カム１５に設ける両没部分を短くしても、両没部分の位置で制御バー５を確実にロックすることができる。
【００３５】
また、ロック機構６の切換えを行う駆動源は、ソレノイド２３ばかりではなく、モータなどを使用することもできる。また、キャリッジに三以上のカムシステム１１を搭載する場合、全部のカムシステム１１に選針装置１を設ければ、さらに多様な編成に対応させることができる。また、全部ではなく、少なくとも一つのカムシステム１１に選針装置１を設けるだけでも、当該カムシステム１１の不使用時に、他のカムシステム１１での編成の自由度を高めることができる。
【符号の説明】
【００３６】
１，１Ａ，１Ｂ  選針装置
２，２Ａ，２Ｂ  セレクタレイジングカム
２ａ  作用斜面
３，３Ａ，３Ｂ  切換機構
５，５Ａ，５Ｂ  制御バー
６  ロック機構
７  選針アクチュエータ
９  セレクタ浮上カム
１０  カム板
１１Ａ，１１Ｂ  カムシステム
１２  セレクタガイドカム
１２ａ  ガイド部
１５，１５Ａ，１５Ｂ  溝カム
１６  ホロワ
１９  出没ピン
２３  ソレノイド
２７  レバー
２８  マグネット
【図１】
2012132114.tif 000003
【図２】
2012132114.tif 000004
【図３】
2012132114.tif 000005
【図４】
2012132114.tif 000006
【図５】
2012132114.tif 000007